(57)【要約】【課題】ＢＤ／ＨＤＤＶＤハイブリッドディスクのＢＤ層、ＨＤＤＶＤ層の画質比較をユーザが容易に行える光ディスク再生装置を提供する。【解決手段】光ピックアップ２がＢＤ／ＨＤＤＶＤハイブリッドディスクのＢＤ層またはＨＤＤＶＤ層から映像データを読取り映像再生中に、リモコンにおいて比較用キー押下げ操作がされると、システムコントローラ１４は現在再生地点のタイムコードに対応する現在再生している層と他方の層におけるアドレスを算出し、算出されたアドレスから光ピックアップ２が読取りを開始し映像再生が開始される。【選択図】図１
2008276847.tif 000002
【特許請求の範囲】
【請求項１】
ＢＤ（Ｂｌｕ−ｒａｙ  Ｄｉｓｋ）／ＨＤＤＶＤ（Ｈｉｇｈ−Ｄｅｆｉｎｉｔｉｏｎ  Ｄｉｇｉｔａｌ  Ｖｅｒｓａｔｉｌｅ  Ｄｉｓｋ）ハイブリッドディスクが有するＢＤ層に記録された映像データを再生するＢＤ層再生手段と、前記ＢＤ／ＨＤＤＶＤハイブリッドディスクが有するＨＤＤＶＤ層に記録された映像データを再生するＨＤＤＶＤ層再生手段と、を備え、
前記ＢＤ層再生手段が前記ＢＤ層に記録された映像データを再生中に、または前記ＨＤＤＶＤ層再生手段が前記ＨＤＤＶＤ層に記録された映像データを再生中に操作手段において所定の操作がされると、前記所定の操作がされたときの再生地点のタイムコードに対応する前記所定の操作がされたときに再生していた層と他方の層におけるアドレスから前記ＢＤ層再生手段と前記ＨＤＤＶＤ層再生手段とのうち前記他方の層に対応する再生手段が映像データを再生する、ことを特徴とする光ディスク再生装置。
【請求項２】
記憶手段と、
前記ＢＤ／ＨＤＤＶＤハイブリッドディスクが光ディスク再生装置に挿入されると前記ＢＤ／ＨＤＤＶＤハイブリッドディスクが有するＢＤ層およびＨＤＤＶＤ層から各ナビ情報を前記記憶手段に取得するナビ情報取得手段と、
前記ナビ情報取得手段が前記各ナビ情報を取得後、前記ＢＤ層再生手段が前記ＢＤ層に記録された映像データを再生中に、または前記ＨＤＤＶＤ層再生手段が前記ＨＤＤＶＤ層に記録された映像データを再生中に前記操作手段において前記所定の操作がされると、前記所定の操作がされたときの再生地点のタイムコードおよび前記記憶手段に取得された前記他方の層のナビ情報に基づき前記アドレスを算出する算出手段と、
を備えることを特徴とする請求項１に記載の光ディスク再生装置。
【請求項３】
記憶手段と、
前記ＢＤ／ＨＤＤＶＤハイブリッドディスクが光ディスク再生装置に挿入されると前記ＢＤ／ＨＤＤＶＤハイブリッドディスクが有するＢＤ層またはＨＤＤＶＤ層からナビ情報を前記記憶手段に取得する第一のナビ情報取得手段と、
前記第一のナビ情報取得手段がＢＤ層のナビ情報を取得後、前記ＢＤ層再生手段が前記ＢＤ層に記録された映像データを再生中に、または前記第一のナビ情報取得手段がＨＤＤＶＤ層のナビ情報を取得後、前記ＨＤＤＶＤ層再生手段が前記ＨＤＤＶＤ層に記録された映像データを再生中に前記操作手段において前記所定の操作がされると、前記他方の層からナビ情報を前記記憶手段に取得する第二のナビ情報取得手段と、
前記第二のナビ情報取得手段がナビ情報を取得後、前記所定の操作がされたときの再生地点のタイムコードおよび前記記憶手段に取得された前記他方の層のナビ情報に基づき前記アドレスを算出する算出手段と、
を備えることを特徴とする請求項１に記載の光ディスク再生装置。
【請求項４】
前記操作手段により設定される設定情報に応じて、前記ＢＤ層再生手段が前記ＢＤ層に記録された映像データを再生中に、または前記ＨＤＤＶＤ層再生手段が前記ＨＤＤＶＤ層に記録された映像データを再生中に前記操作手段において前記所定の操作がされると、前記所定の操作がされたときの再生地点のタイムコードに対応する前記他方の層におけるアドレスから前記ＢＤ層再生手段と前記ＨＤＤＶＤ層再生手段とのうち前記他方の層に対応する再生手段が映像データを再生するか、
前記ＢＤ層再生手段が前記ＢＤ層に記録された映像データを再生中に、または前記ＨＤＤＶＤ層再生手段が前記ＨＤＤＶＤ層に記録された映像データを再生中に前記操作手段において前記所定の操作がされてもそのときの再生が継続されるか、が切り換えられることを特徴とする請求項１〜請求項３のいずれかに記載の光ディスク再生装置。
【請求項５】
前記ＢＤ層再生手段と前記ＨＤＤＶＤ層再生手段とのうち前記他方の層に対応する前記再生手段が映像データを再生中に、前記操作手段において所定の操作がされると、そのとき再生中の映像データの映像および該映像データとは別の該映像データと同一層に記録された映像データの映像を表示手段にピクチャーインピクチャー形式で表示させるための表示用信号を出力する表示用信号出力手段を備えることを特徴とする請求項１〜請求項４のいずれかに記載の光ディスク再生装置。
【請求項６】
ＢＤ（Ｂｌｕ−ｒａｙ  Ｄｉｓｋ）／ＨＤＤＶＤ（Ｈｉｇｈ−Ｄｅｆｉｎｉｔｉｏｎ  Ｄｉｇｉｔａｌ  Ｖｅｒｓａｔｉｌｅ  Ｄｉｓｋ）ハイブリッドディスクが有するＢＤ層に記録された映像データを再生するＢＤ層再生手段と、前記ＢＤ／ＨＤＤＶＤハイブリッドディスクが有するＨＤＤＶＤ層に記録された映像データを再生するＨＤＤＶＤ層再生手段と、を備え、
前記ＢＤ層再生手段が前記ＢＤ層に記録された映像データを操作手段により決定された開始点と終了点との間でリピート再生中に、または前記ＨＤＤＶＤ層再生手段が前記ＨＤＤＶＤ層に記録された映像データを操作手段により決定された開始点と終了点との間でリピート再生中に、前記操作手段において所定の操作がされると、前記開始点および前記終了点の各タイムコードに対応する前記所定の操作がされたときに再生していた層と他方の層における各アドレス間で前記ＢＤ層再生手段と前記ＨＤＤＶＤ層再生手段とのうち前記他方の層に対応する再生手段が映像データをリピート再生する、ことを特徴とする光ディスク再生装置。
【請求項７】
前記ＢＤ層再生手段と前記ＨＤＤＶＤ層再生手段とのうち前記他方の層に対応する再生手段は、前記開始点のタイムコードに対応する前記他方の層におけるアドレス、または前記所定の操作がされたときの再生地点のタイムコードに対応する前記他方の層におけるアドレスからリピート再生を開始することを特徴とする請求項６に記載の光ディスク再生装置。
【請求項８】
記憶手段と、
前記ＢＤ／ＨＤＤＶＤハイブリッドディスクが光ディスク再生装置に挿入されると前記ＢＤ／ＨＤＤＶＤハイブリッドディスクが有するＢＤ層およびＨＤＤＶＤ層から各ナビ情報を前記記憶手段に取得するナビ情報取得手段と、
前記ナビ情報取得手段が前記各ナビ情報を取得後、前記ＢＤ層再生手段が前記ＢＤ層に記録された映像データをリピート再生中に、または前記ＨＤＤＶＤ層再生手段が前記ＨＤＤＶＤ層に記録された映像データをリピート再生中に前記操作手段において前記所定の操作がされると、前記開始点および前記終了点の各タイムコードおよび前記記憶手段に取得された前記他方の層のナビ情報に基づき前記各アドレスを算出する算出手段と、
を備えることを特徴とする請求項６または請求項７に記載の光ディスク再生装置。
【請求項９】
記憶手段と、
前記ＢＤ／ＨＤＤＶＤハイブリッドディスクが光ディスク再生装置に挿入されると前記ＢＤ／ＨＤＤＶＤハイブリッドディスクが有するＢＤ層またはＨＤＤＶＤ層からナビ情報を前記記憶手段に取得する第一のナビ情報取得手段と、
前記第一のナビ情報取得手段がＢＤ層のナビ情報を取得後、前記ＢＤ層再生手段が前記ＢＤ層に記録された映像データをリピート再生中に、または前記第一のナビ情報取得手段がＨＤＤＶＤ層のナビ情報を取得後、前記ＨＤＤＶＤ層再生手段が前記ＨＤＤＶＤ層に記録された映像データをリピート再生中に前記操作手段において前記所定の操作がされると、前記他方の層からナビ情報を前記記憶手段に取得する第二のナビ情報取得手段と、
前記第二のナビ情報取得手段がナビ情報を取得後、前記開始点および前記終了点の各タイムコードおよび前記記憶手段に取得された前記他方の層のナビ情報に基づき前記各アドレスを算出する算出手段と、
を備えることを特徴とする請求項６または請求項７に記載の光ディスク再生装置。
【請求項１０】
前記操作手段により設定される設定情報に応じて、前記ＢＤ層再生手段が前記ＢＤ層に記録された映像データをリピート再生中に、または前記ＨＤＤＶＤ層再生手段が前記ＨＤＤＶＤ層に記録された映像データをリピート再生中に、前記操作手段において前記所定の操作がされると、前記開始点および前記終了点の各タイムコードに対応する前記他方の層における各アドレス間で前記ＢＤ層再生手段と前記ＨＤＤＶＤ層再生手段とのうち前記他方の層に対応する再生手段が映像データをリピート再生するか、
前記ＢＤ層再生手段が前記ＢＤ層に記録された映像データをリピート再生中に、または前記ＨＤＤＶＤ層再生手段が前記ＨＤＤＶＤ層に記録された映像データをリピート再生中に、前記操作手段において前記所定の操作がされてもそのときのリピート再生が継続されるか、が切り換えられることを特徴とする請求項６〜請求項９のいずれかに記載の光ディスク再生装置。
【発明の詳細な説明】
【技術分野】
【０００１】
本発明は光ディスク再生装置に関するものである。
【背景技術】
【０００２】
現在、ハイビジョン映像対応の次世代光ディスクとしては、Ｂｌｕ−ｒａｙ  Ｄｉｓｋ（以下、ＢＤ）とＨＤＤＶＤ（Ｈｉｇｈ−Ｄｅｆｉｎｉｔｉｏｎ  Ｄｉｇｉｔａｌ  Ｖｅｒｓａｔｉｌｅ  Ｄｉｓｋ）との２種類が存在している。そして、このような両フォーマットの記録層を有したＢＤ／ＨＤＤＶＤハイブリッドディスクも登場している（このようなディスクについては例えば特許文献１参照）。また、ＢＤおよびＨＤＤＶＤ双方を再生可能な光ディスク再生装置も登場している。このようなディスクと光ディスク再生装置によりユーザは同じコンテンツをＢＤ、ＨＤＤＶＤ双方のフォーマットで楽しむことができる。
【特許文献１】特開２００６−１６４３６６号公報
【発明の開示】
【発明が解決しようとする課題】
【０００３】
しかし、上記従来のＢＤおよびＨＤＤＶＤ双方に対応した光ディスク再生装置では、ＢＤ／ＨＤＤＶＤハイブリッドディスクのＢＤ、ＨＤＤＶＤいずれか一方のフォーマットの記録層を再生してユーザが映像を鑑賞中に他方のフォーマットの映像との画質比較を行いたい場合、現在の再生を一旦停止させ、ユーザ操作により先に鑑賞していた場面から他方フォーマットの再生を開始させる必要があり、画質比較がユーザにとって容易でないという問題があった。
【０００４】
上記問題点を鑑み、本発明は、ＢＤ／ＨＤＤＶＤハイブリッドディスクのＢＤ層、ＨＤＤＶＤ層の画質比較をユーザが容易に行える光ディスク再生装置を提供することを目的とする。
【課題を解決するための手段】
【０００５】
上記目的を達成するために本発明の光ディスク再生装置は、ＢＤ（Ｂｌｕ−ｒａｙ  Ｄｉｓｋ）／ＨＤＤＶＤ（Ｈｉｇｈ−Ｄｅｆｉｎｉｔｉｏｎ  Ｄｉｇｉｔａｌ  Ｖｅｒｓａｔｉｌｅ  Ｄｉｓｋ）ハイブリッドディスクが有するＢＤ層に記録された映像データを再生するＢＤ層再生手段と、前記ＢＤ／ＨＤＤＶＤハイブリッドディスクが有するＨＤＤＶＤ層に記録された映像データを再生するＨＤＤＶＤ層再生手段と、を備え、
前記ＢＤ層再生手段が前記ＢＤ層に記録された映像データを再生中に、または前記ＨＤＤＶＤ層再生手段が前記ＨＤＤＶＤ層に記録された映像データを再生中に操作手段において所定の操作がされると、前記所定の操作がされたときの再生地点のタイムコードに対応する前記所定の操作がされたときに再生していた層と他方の層におけるアドレスから前記ＢＤ層再生手段と前記ＨＤＤＶＤ層再生手段とのうち前記他方の層に対応する再生手段が映像データを再生するような構成としている。
【０００６】
このような構成によれば、ユーザは操作手段において所定の操作をするだけで、そのとき再生されていた場面から他方の層の再生映像を見ることができ、ＢＤ層、ＨＤＤＶＤ層の画質比較が容易に行える。
【０００７】
また、本発明の光ディスク再生装置は、上記構成において、
記憶手段と、
前記ＢＤ／ＨＤＤＶＤハイブリッドディスクが光ディスク再生装置に挿入されると前記ＢＤ／ＨＤＤＶＤハイブリッドディスクが有するＢＤ層およびＨＤＤＶＤ層から各ナビ情報を前記記憶手段に取得するナビ情報取得手段と、
前記ナビ情報取得手段が前記各ナビ情報を取得後、前記ＢＤ層再生手段が前記ＢＤ層に記録された映像データを再生中に、または前記ＨＤＤＶＤ層再生手段が前記ＨＤＤＶＤ層に記録された映像データを再生中に前記操作手段において前記所定の操作がされると、前記所定の操作がされたときの再生地点のタイムコードおよび前記記憶手段に取得された前記他方の層のナビ情報に基づき前記アドレスを算出する算出手段と、
を備える構成にしてもよい。
【０００８】
このような構成によれば、予めＢＤ層、ＨＤＤＶＤ層双方のナビ情報を取得しておくので、操作手段において所定の操作がされると即座にアドレスが算出され、ユーザはすぐに他方の層の再生映像を見ることができる。
【０００９】
また、本発明の光ディスク再生装置は、上記構成において、
記憶手段と、
前記ＢＤ／ＨＤＤＶＤハイブリッドディスクが光ディスク再生装置に挿入されると前記ＢＤ／ＨＤＤＶＤハイブリッドディスクが有するＢＤ層またはＨＤＤＶＤ層からナビ情報を前記記憶手段に取得する第一のナビ情報取得手段と、
前記第一のナビ情報取得手段がＢＤ層のナビ情報を取得後、前記ＢＤ層再生手段が前記ＢＤ層に記録された映像データを再生中に、または前記第一のナビ情報取得手段がＨＤＤＶＤ層のナビ情報を取得後、前記ＨＤＤＶＤ層再生手段が前記ＨＤＤＶＤ層に記録された映像データを再生中に前記操作手段において前記所定の操作がされると、前記他方の層からナビ情報を前記記憶手段に取得する第二のナビ情報取得手段と、
前記第二のナビ情報取得手段がナビ情報を取得後、前記所定の操作がされたときの再生地点のタイムコードおよび前記記憶手段に取得された前記他方の層のナビ情報に基づき前記アドレスを算出する算出手段と、
を備える構成にしてもよい。
【００１０】
このような構成によれば、ＢＤ層からの再生開始前にはＢＤ層のみのナビ情報を取得し、ＨＤＤＶＤ層からの再生開始前にはＨＤＤＶＤ層のみのナビ情報を取得するので、ディスク挿入からＢＤ層からの再生開始またはＨＤＤＶＤ層からの再生開始までの時間を短縮できる。
【００１１】
また、本発明の光ディスク再生装置は、上記構成において、
前記操作手段により設定される設定情報に応じて、前記ＢＤ層再生手段が前記ＢＤ層に記録された映像データを再生中に、または前記ＨＤＤＶＤ層再生手段が前記ＨＤＤＶＤ層に記録された映像データを再生中に前記操作手段において前記所定の操作がされると、前記所定の操作がされたときの再生地点のタイムコードに対応する前記他方の層におけるアドレスから前記ＢＤ層再生手段と前記ＨＤＤＶＤ層再生手段とのうち前記他方の層に対応する再生手段が映像データを再生するか、
前記ＢＤ層再生手段が前記ＢＤ層に記録された映像データを再生中に、または前記ＨＤＤＶＤ層再生手段が前記ＨＤＤＶＤ層に記録された映像データを再生中に前記操作手段において前記所定の操作がされてもそのときの再生が継続されるか、が切り換えられるような構成としてもよい。
【００１２】
このような構成によれば、ＢＤ層、ＨＤＤＶＤ層の画質比較機能のオンオフをユーザが設定できる。
【００１３】
また、本発明の光ディスク再生装置は、上記構成において、
前記ＢＤ層再生手段と前記ＨＤＤＶＤ層再生手段とのうち前記他方の層に対応する前記再生手段が映像データを再生中に、前記操作手段において所定の操作がされると、そのとき再生中の映像データの映像および該映像データとは別の該映像データと同一層に記録された映像データの映像を表示手段にピクチャーインピクチャー形式で表示させるための表示用信号を出力する表示用信号出力手段を備える構成としてもよい。
【００１４】
このような構成によれば、ディスクのＢＤ層、ＨＤＤＶＤ層の一方の層には本編が記録され、他方の層には同一内容の本編および本編とは別の特典映像が記録されている場合に、特典映像が記録されていない一方の層の本編を再生中に他方の層の特典映像をユーザが見たい場合、ユーザは画質比較用の操作およびピクチャーインピクチャー表示のための操作をするだけですぐに特典映像を見ることができ利便性が高いものとなる。
【００１５】
また、上記目的を達成するため、本発明の光ディスク再生装置は、ＢＤ（Ｂｌｕ−ｒａｙ  Ｄｉｓｋ）／ＨＤＤＶＤ（Ｈｉｇｈ−Ｄｅｆｉｎｉｔｉｏｎ  Ｄｉｇｉｔａｌ  Ｖｅｒｓａｔｉｌｅ  Ｄｉｓｋ）ハイブリッドディスクが有するＢＤ層に記録された映像データを再生するＢＤ層再生手段と、前記ＢＤ／ＨＤＤＶＤハイブリッドディスクが有するＨＤＤＶＤ層に記録された映像データを再生するＨＤＤＶＤ層再生手段と、を備え、
前記ＢＤ層再生手段が前記ＢＤ層に記録された映像データを操作手段により決定された開始点と終了点との間でリピート再生中に、または前記ＨＤＤＶＤ層再生手段が前記ＨＤＤＶＤ層に記録された映像データを操作手段により決定された開始点と終了点との間でリピート再生中に、前記操作手段において所定の操作がされると、前記開始点および前記終了点の各タイムコードに対応する前記所定の操作がされたときに再生していた層と他方の層における各アドレス間で前記ＢＤ層再生手段と前記ＨＤＤＶＤ層再生手段とのうち前記他方の層に対応する再生手段が映像データをリピート再生するような構成としている。
【００１６】
このような構成によれば、ユーザは操作手段において所定の操作をするだけで、そのときリピート再生されていた場面と同じ場面の他方の層からのリピート再生映像を見ることができ、ＢＤ層、ＨＤＤＶＤ層の画質比較を容易に行え、画質の違いをより確認し易い。
【００１７】
また、本発明の光ディスク再生装置は、上記構成において、前記ＢＤ層再生手段と前記ＨＤＤＶＤ層再生手段とのうち前記他方の層に対応する再生手段は、前記開始点のタイムコードに対応する前記他方の層におけるアドレス、または前記所定の操作がされたときの再生地点のタイムコードに対応する前記他方の層におけるアドレスからリピート再生を開始する構成としてもよい。
【００１８】
また、本発明の光ディスク再生装置は、上記構成において、
記憶手段と、
前記ＢＤ／ＨＤＤＶＤハイブリッドディスクが光ディスク再生装置に挿入されると前記ＢＤ／ＨＤＤＶＤハイブリッドディスクが有するＢＤ層およびＨＤＤＶＤ層から各ナビ情報を前記記憶手段に取得するナビ情報取得手段と、
前記ナビ情報取得手段が前記各ナビ情報を取得後、前記ＢＤ層再生手段が前記ＢＤ層に記録された映像データをリピート再生中に、または前記ＨＤＤＶＤ層再生手段が前記ＨＤＤＶＤ層に記録された映像データをリピート再生中に前記操作手段において前記所定の操作がされると、前記開始点および前記終了点の各タイムコードおよび前記記憶手段に取得された前記他方の層のナビ情報に基づき前記各アドレスを算出する算出手段と、
を備える構成としてもよい。
【００１９】
このような構成によれば、予めＢＤ層、ＨＤＤＶＤ層双方のナビ情報を取得しておくので、操作手段において所定の操作がされると即座に各アドレスが算出され、ユーザはすぐに他方の層の再生映像を見ることができる。
【００２０】
また、本発明の光ディスク再生装置は、上記構成において、
記憶手段と、
前記ＢＤ／ＨＤＤＶＤハイブリッドディスクが光ディスク再生装置に挿入されると前記ＢＤ／ＨＤＤＶＤハイブリッドディスクが有するＢＤ層またはＨＤＤＶＤ層からナビ情報を前記記憶手段に取得する第一のナビ情報取得手段と、
前記第一のナビ情報取得手段がＢＤ層のナビ情報を取得後、前記ＢＤ層再生手段が前記ＢＤ層に記録された映像データをリピート再生中に、または前記第一のナビ情報取得手段がＨＤＤＶＤ層のナビ情報を取得後、前記ＨＤＤＶＤ層再生手段が前記ＨＤＤＶＤ層に記録された映像データをリピート再生中に前記操作手段において前記所定の操作がされると、前記他方の層からナビ情報を前記記憶手段に取得する第二のナビ情報取得手段と、
前記第二のナビ情報取得手段がナビ情報を取得後、前記開始点および前記終了点の各タイムコードおよび前記記憶手段に取得された前記他方の層のナビ情報に基づき前記各アドレスを算出する算出手段と、
を備える構成としてもよい。
【００２１】
このような構成によれば、ＢＤ層からの再生開始前にはＢＤ層のみのナビ情報を取得し、ＨＤＤＶＤ層からの再生開始前にはＨＤＤＶＤ層のみのナビ情報を取得するので、ディスク挿入からＢＤ層からの再生開始またはＨＤＤＶＤ層からの再生開始までの時間を短縮できる。
【００２２】
また、本発明の光ディスク再生装置は、上記構成において、
前記操作手段により設定される設定情報に応じて、前記ＢＤ層再生手段が前記ＢＤ層に記録された映像データをリピート再生中に、または前記ＨＤＤＶＤ層再生手段が前記ＨＤＤＶＤ層に記録された映像データをリピート再生中に、前記操作手段において前記所定の操作がされると、前記開始点および前記終了点の各タイムコードに対応する前記他方の層における各アドレス間で前記ＢＤ層再生手段と前記ＨＤＤＶＤ層再生手段とのうち前記他方の層に対応する再生手段が映像データをリピート再生するか、
前記ＢＤ層再生手段が前記ＢＤ層に記録された映像データをリピート再生中に、または前記ＨＤＤＶＤ層再生手段が前記ＨＤＤＶＤ層に記録された映像データをリピート再生中に、前記操作手段において前記所定の操作がされてもそのときのリピート再生が継続されるか、が切り換えられる構成としてもよい。
【００２３】
このような構成によれば、ＢＤ層、ＨＤＤＶＤ層の画質比較機能のオンオフをユーザが設定できる。
【発明の効果】
【００２４】
本発明の光ディスク再生装置によれば、ＢＤ／ＨＤＤＶＤハイブリッドディスクのＢＤ層、ＨＤＤＶＤ層の画質比較をユーザが容易に行える。
【発明を実施するための最良の形態】
【００２５】
以下、本発明の実施形態について図面を参照して説明する。
【００２６】
図１に、本発明に係る光ディスク再生装置のブロック構成図を示す。図１に示すよう、本発明に係る光ディスク再生装置は、スピンドルモータ１と、光ピックアップ２と、スレッドモータ３と、ＬＤドライバ４と、ＬＤドライバ５と、ＲＦ信号処理部６と、エラー信号生成部７と、サーボ処理部８と、ＲＦ信号処理部９と、エラー信号生成部１０と、サーボ処理部１１と、アクチュエータドライバ１２と、スレッドドライバ１３と、システムコントローラ１４と、グラフィックエンジン１５と、ビデオエンコーダ１６と、リモコン受信部１７と、フラッシュメモリ１８とを備えている。
【００２７】
スピンドルモータ１は、ディスクを回転させるモータである。
【００２８】
光ピックアップ２は、対物レンズ２ａと、ＢＤ光学系２ｂと、対物レンズ２ｃと、ＨＤＤＶＤ光学系２ｄと、フォーカスアクチュエータ２ｅと、トラッキングアクチュエータ２ｆとを有する。
【００２９】
対物レンズ２ａはＢＤ用の対物レンズであり、ＮＡ（開口数）が０．８５である。ＢＤ光学系２ｂは、不図示の青色レーザダイオード、光検出器、その他光学部品を有し、青色レーザダイオードが射出した波長４０５ｎｍのレーザビームはＢＤ光学系２ｂの各光学部品を通過し、対物レンズ２ａによりディスク上に集光されディスクで反射された後、対物レンズ２ａおよびＢＤ光学系２ｂの各光学部品を通過し、光検出器で受光される。光検出器は受光した光をＲＦ信号および光検出信号に変換し、ＲＦ信号をＲＦ信号処理部９に、光検出信号をエラー信号生成部１０に出力する。
【００３０】
また、対物レンズ２ｃはＨＤＤＶＤ用の対物レンズであり、ＮＡが０．６５である。ＨＤＤＶＤ光学系２ｄは、不図示の青色レーザダイオード、光検出器、その他光学部品を有し、青色レーザダイオードが射出した波長４０５ｎｍのレーザビームはＨＤＤＶＤ光学系２ｄの各光学部品を通過し、対物レンズ２ｃによりディスク上に集光されディスクで反射された後、対物レンズ２ｃおよびＨＤＤＶＤ光学系２ｄの各光学部品を通過し、光検出器で受光される。光検出器は受光した光をＲＦ信号および光検出信号に変換し、ＲＦ信号をＲＦ信号処理部６に、光検出信号をエラー信号生成部７に出力する。
【００３１】
また、フォーカスアクチュエータ２ｅは、対物レンズ２ａおよび対物レンズ２ｃをフォーカス方向に駆動するためのアクチュエータであり、トラッキングアクチュエータ２ｆは、対物レンズ２ａおよび対物レンズ２ｃをトラッキング方向に駆動するためのアクチュエータである。
【００３２】
スレッドモータ３は、光ピックアップ２をディスク半径方向に移動駆動する。ＬＤドライバ４は、ＨＤＤＶＤ光学系２ｄの青色レーザダイオードを発光駆動し、ＬＤドライバ５は、ＢＤ光学系２ｂの青色レーザダイオードを発光駆動する。
【００３３】
ＲＦ信号処理部６は、ＨＤＤＶＤ光学系２ｄの光検出器から入力されたＲＦ信号に対して波形等化処理、２値化処理、復調処理、誤り訂正処理、映像デコード処理を行って映像データを取り出しグラフィックエンジン１５に出力する。映像デコード処理は、処理対象に応じてＭＰＥＧ２、ＶＣ−１、Ｈ．２６４のいずれかのフォーマットで行われる。また、ＲＦ信号処理部６は誤り訂正処理後のデータからアドレスを検出することも行い、検出されたアドレスをシステムコントローラ１４に出力する。
【００３４】
エラー信号生成部７は、ＨＤＤＶＤ光学系２ｄの光検出器から入力された光検出信号に基づきフォーカスエラー信号およびトラッキングエラー信号を生成しサーボ処理部８に出力する。
【００３５】
サーボ処理部８は、エラー信号生成部７から入力されたフォーカスエラー信号に基づきフォーカス駆動信号を生成しアクチュエータドライバ１２に出力する。そして、アクチュエータドライバ１２はフォーカス駆動信号に基づき光ピックアップ２のフォーカスアクチュエータ２ｅを駆動しフォーカスサーボが行われる。
【００３６】
また、サーボ処理部８は、エラー信号生成部７から入力されたトラッキングエラー信号に基づきトラッキング駆動信号を生成しアクチュエータドライバ１２に出力する。そして、アクチュエータドライバ１２はトラッキング駆動信号に基づき光ピックアップ２のトラッキングアクチュエータ２ｆを駆動しトラッキングサーボが行われる。
【００３７】
また、サーボ処理部８は、スレッド駆動信号を生成してスレッドドライバ１３に出力し、スレッドドライバ１３がスレッド駆動信号に基づきスレッドモータ３を駆動し光ピックアップ２がディスク半径方向に移動制御される。
【００３８】
ＲＦ信号処理部９は、ＢＤ光学系２ｂの光検出器から入力されたＲＦ信号に対して波形等化処理、２値化処理、復調処理、誤り訂正処理、映像デコード処理を行って映像データを取り出しグラフィックエンジン１５に出力する。映像デコード処理は、処理対象に応じてＭＰＥＧ２、ＶＣ−１、Ｈ．２６４のいずれかのフォーマットで行われる。また、ＲＦ信号処理部９は誤り訂正処理後のデータからアドレスを検出することも行い、検出されたアドレスをシステムコントローラ１４に出力する。
【００３９】
エラー信号生成部１０は、ＢＤ光学系２ｂの光検出器から入力された光検出信号に基づきフォーカスエラー信号およびトラッキングエラー信号を生成しサーボ処理部１１に出力する。
【００４０】
サーボ処理部１１は、エラー信号生成部１０から入力されたフォーカスエラー信号に基づきフォーカス駆動信号を生成しアクチュエータドライバ１２に出力する。そして、アクチュエータドライバ１２はフォーカス駆動信号に基づき光ピックアップ２のフォーカスアクチュエータ２ｅを駆動しフォーカスサーボが行われる。
【００４１】
また、サーボ処理部１１は、エラー信号生成部１０から入力されたトラッキングエラー信号に基づきトラッキング駆動信号を生成しアクチュエータドライバ１２に出力する。そして、アクチュエータドライバ１２はトラッキング駆動信号に基づき光ピックアップ２のトラッキングアクチュエータ２ｆを駆動しトラッキングサーボが行われる。
【００４２】
また、サーボ処理部１１は、スレッド駆動信号を生成してスレッドドライバ１３に出力し、スレッドドライバ１３がスレッド駆動信号に基づきスレッドモータ３を駆動し光ピックアップ２がディスク半径方向に移動制御される。
【００４３】
また、ＲＦ信号処理部６およびＲＦ信号処理部９が出力した映像データはグラフィックエンジン１５を介してビデオエンコーダ１６に入力され、ビデオエンコーダ１６でＤ／Ａ変換され、不図示のテレビジョンに出力される。また、グラフィックエンジン１５が生成したＯＳＤ（Ｏｎ  Ｓｃｒｅｅｎ  Ｄｉｓｐｌａｙ）映像データもビデオエンコーダ１６に入力され、ビデオエンコーダ１６でＤ／Ａ変換され、不図示のテレビジョンに出力される。
【００４４】
システムコントローラ１４は、マイコンで構成され各部を制御する。また、システムコントローラ１４はＲＡＭ１４ａを有している。リモコン受信部１７は、不図示のリモコンから赤外線信号を受信し操作に応じたコード信号をシステムコントローラ１４に出力する。また、フラッシュメモリ１８は、システムコントローラ１４により各種設定情報が記憶される。
【００４５】
次に、以上のような構成である本発明に係る光ディスク再生装置におけるＢＤ／ＨＤＤＶＤ画質比較動作の第１実施形態に関して図２のフローチャートを用いて説明する。
【００４６】
ユーザによりＢＤ／ＨＤＤＶＤハイブリッドディスクが本発明に係る光ディスク再生装置に挿入されると、ディスクがスピンドルモータ１に固定され、図２のフローチャートが開始される。ここで、ＢＤ／ＨＤＤＶＤハイブリッドディスクは、ディスク表面から０．１ｍｍの位置にＢＤ層を有し、ディスク表面から０．６ｍｍの位置にＨＤＤＶＤ層を有している。そして、双方の層共に内周側からリードイン領域、データ記録領域が形成され、リードイン領域にはナビ情報が記録され、データ記録領域には映像データが記録されている。２つの層に記録された映像データの内容は同一のものとなっている。
【００４７】
図２のステップＳ２００では、挿入されたディスクがＢＤ／ＨＤＤＶＤハイブリッドディスクであることをシステムコントローラ１４が検出する。ここでは例えば、システムコントローラ１４がＬＤドライバ４にドライブ信号を出力しＨＤＤＶＤ光学系２ｄの青色レーザダイオードを発光駆動させ、サーボ処理部８がアクチュエータドライバ１２にフォーカス駆動信号を出力し対物レンズ２ｃをディスクに近づけるよう駆動し、そのときにエラー信号生成部７により生成されるフォーカスエラー信号の波形よりシステムコントローラ１４が挿入されたディスクはＢＤ／ＨＤＤＶＤハイブリッドディスクであることを検出するようにすればよい。
【００４８】
ステップＳ２００の後、ステップＳ２０１に進み、光ピックアップ２がディスクの有するＢＤ層のリードイン領域に移動され、光ピックアップ２がＢＤ層のリードイン領域よりナビ情報を読取り、システムコントローラ１４は読み取られたナビ情報をＲＡＭ１４ａに記憶させる。その後、光ピックアップ２がディスクの有するＨＤＤＶＤ層のリードイン領域に移動され、光ピックアップ２がＨＤＤＶＤ層のリードイン領域よりナビ情報を読取り、システムコントローラ１４は読み取られたナビ情報をＲＡＭ１４ａに記憶させる。
【００４９】
そして、ステップＳ２０２で、システムコントローラ１４は、フラッシュメモリ１８に記憶されたＢＤ／ＨＤＤＶＤ画質比較機能のオンオフ設定情報を確認し、もしＢＤ／ＨＤＤＶＤ画質比較機能がオンであれば（ステップＳ２０２のＹ）、ステップＳ２０６に進む。
【００５０】
ここで、ＢＤ／ＨＤＤＶＤ画質比較機能のオンオフはユーザが設定できる。不図示のリモコンにおいて設定画面表示操作がされると、グラフィックエンジン１５が生成するＯＳＤ映像データにより不図示のテレビジョンに図６（ａ）に示すような設定画面が表示される。ここで、リモコン操作によりＢＤ／ＨＤＤＶＤ画質比較機能を有効にするか無効にするかが選択され、もし有効が選択された場合、システムコントローラ１４はフラッシュメモリ１８にＢＤ／ＨＤＤＶＤ画質比較機能のオンを表す設定情報を記憶させ、無効が選択された場合、システムコントローラ１４はフラッシュメモリ１８にＢＤ／ＨＤＤＶＤ画質比較機能のオフを表す設定情報を記憶させる。
【００５１】
ステップＳ２０６では、グラフィックエンジン１５が生成するＯＳＤ映像データにより不図示のテレビジョンに図６（ｂ）に示すようなダイアログが表示される。ここでは、再生させるフォーマットをリモコン操作により選択でき、ＢＤが選択された場合はステップＳ２０７に進み、ＨＤＤＶＤが選択された場合はステップＳ２０８に進む。
【００５２】
ステップＳ２０７では、光ピックアップ２はディスクの有するＢＤ層の記録データ領域より映像データの読取りを開始し、ＲＦ信号処理部９が出力する映像データにより不図示のテレビジョンにおいて再生映像の表示が開始される。
【００５３】
また、ステップＳ２０８では、光ピックアップ２はディスクの有するＨＤＤＶＤ層の記録データ領域より映像データの読取りを開始し、ＲＦ信号処理部６が出力する映像データにより不図示のテレビジョンにおいて再生映像の表示が開始される。
【００５４】
そして、ＢＤ層またはＨＤＤＶＤ層の再生中に不図示のリモコンにおいて比較用キーの押下げ操作がされ、システムコントローラ１４が対応するコード信号を受信すると（ステップＳ２０９）、ステップＳ２１０に進む。
【００５５】
ステップＳ２１０で、システムコントローラ１４は、現在再生地点のタイムコードとＲＡＭ１４ａに記憶された現在再生している層の他方の層のナビ情報とに基づき、現在再生地点のタイムコードに対応する現在再生している層の他方の層におけるアドレスを算出する。そして、光ピックアップ２が算出されたアドレスまで移動され上記他方の層より映像データの読取りを開始し、ＲＦ信号処理部６またはＲＦ信号処理部９が出力する映像データにより不図示のテレビジョンにおいて上記他方の層の再生映像の表示が開始される。
【００５６】
その後、再生中に再び不図示のリモコンにおいて比較用キーの押下げ操作がされると（ステップＳ２０９）、上記ステップＳ２１０の動作が行われ、以降同様のことが繰り返される。
【００５７】
これにより、ユーザは比較用キーを押下げるだけで、そのとき再生していた場面から他方の層の再生映像を見ることができ、容易にＢＤ層、ＨＤＤＶＤ層の画質比較が行える。また、本実施形態では、ステップＳ２０１で予めＢＤ層、ＨＤＤＶＤ層双方のナビ情報を取得するため、ステップＳ２０９の最初の比較用キー押下げ操作時にステップＳ２１０で即座にアドレスを算出でき、すぐに他方の層の再生映像をユーザが見ることができる。
【００５８】
また、ステップＳ２０２で、ＢＤ／ＨＤＤＶＤ画質比較機能がオフであれば（ステップＳ２０２のＮ）、ステップＳ２０３に進む。ステップＳ２０３では、上記ステップＳ２０６と同様に図６（ｂ）に示すような再生させるフォーマットをユーザに選択させるダイアログが不図示のテレビジョンに表示される。ここで、不図示のリモコン操作によりＢＤが選択されると、ステップＳ２０４に進み、光ピックアップ２はディスクの有するＢＤ層より映像データの読取りを開始し、ＲＦ信号処理部９が出力する映像データにより不図示のテレビジョンにおいて再生映像の表示が開始される。また、ステップＳ２０３で不図示のリモコン操作によりＨＤＤＶＤが選択されると、ステップＳ２０５に進み、光ピックアップ２はディスクの有するＨＤＤＶＤ層より映像データの読取りを開始し、ＲＦ信号処理部６が出力する映像データにより不図示のテレビジョンにおいて再生映像の表示が開始される。そして、ステップＳ２０４またはステップＳ２０５の後、再生中に不図示のリモコンにおいて比較用キーの押下げ操作がされても、そのときの再生が継続される。
【００５９】
なお、本実施形態において、ステップＳ２１０の後、不図示のリモコンにおいて所定の操作がされると、光ピックアップ２が、そのとき再生中の映像データ（第１の映像データ）と、該映像データとは別の映像データ（第２の映像データ）とを交互にディスクの同一層から読取ることを開始し、ＲＦ信号処理部６またはＲＦ信号処理部９から出力される２つの映像データに基づきグラフィックエンジン１５が、不図示のテレビジョンに第１の映像データの映像および第２の映像データの映像をピクチャーインピクチャー形式で表示させるための映像データを生成してビデオエンコーダ１６に出力するようにしてもよい。
【００６０】
これにより、ディスクのＢＤ層、ＨＤＤＶＤ層の一方の層には本編が記録され、他方の層には同一内容の本編および本編とは別の特典映像が記録されている場合に、特典映像が記録されていない一方の層の本編を再生中に他方の層の特典映像をユーザが見たい場合、ユーザは比較用キーの操作およびピクチャーインピクチャー表示のための操作をするだけですぐに特典映像を見ることができ利便性が高いものとなる。
【００６１】
次に、本発明に係る光ディスク再生装置におけるＢＤ／ＨＤＤＶＤ画質比較動作の第２実施形態に関して図３のフローチャートを用いて説明する。
【００６２】
ユーザによりＢＤ／ＨＤＤＶＤハイブリッドディスクが本発明に係る光ディスク再生装置に挿入されると、ステップＳ３００で、システムコントローラ１４はディスクがＢＤ／ＨＤＤＶＤハイブリッドディスクであることを検出し、ステップＳ３０１に進む。
【００６３】
ステップＳ３０１で、システムコントローラ１４はフラッシュメモリ１８に記憶された設定情報を確認し、ＢＤ／ＨＤＤＶＤ画質比較機能がオンであれば（ステップＳ３０１のＹ）、ステップＳ３０７に進む。ＢＤ／ＨＤＤＶＤ画質比較機能のオンオフは前述の通りユーザが設定できる。
【００６４】
ステップＳ３０７では、前述と同様に図６（ｂ）に示すような再生させるフォーマットをユーザに選択させるダイアログが不図示のテレビジョンに表示される。ここで、不図示のリモコン操作によりＢＤが選択されると、ステップＳ３０８に進む。ステップＳ３０８で、光ピックアップ２がディスクの有するＢＤ層のリードイン領域よりナビ情報を読取り、読取られたナビ情報をシステムコントローラ１４がＲＡＭ１４ａに記憶させる。そして、ステップＳ３０９で、光ピックアップ２はディスクの有するＢＤ層のデータ記録領域より映像データの読取りを開始し、ＲＦ信号処理部９が出力する映像データにより不図示のテレビジョンにおいて再生映像の表示が開始される。
【００６５】
また、ステップＳ３０７で不図示のリモコン操作によりＨＤＤＶＤが選択されると、ステップＳ３１０に進む。ステップＳ３１０で、光ピックアップ２がディスクの有するＨＤＤＶＤ層のリードイン領域よりナビ情報を読取り、読取られたナビ情報をシステムコントローラ１４がＲＡＭ１４ａに記憶させる。そして、ステップＳ３１１で、光ピックアップ２はディスクの有するＨＤＤＶＤ層のデータ記録領域より映像データの読取りを開始し、ＲＦ信号処理部６が出力する映像データにより不図示のテレビジョンにおいて再生映像の表示が開始される。
【００６６】
そして、ＢＤ層またはＨＤＤＶＤ層の再生中に不図示のリモコンにおいて比較用キーの押下げ操作がされ、システムコントローラ１４が対応するコード信号を受信すると（ステップＳ３１２）、ステップＳ３１３に進む。
【００６７】
ステップＳ３１３で、光ピックアップ２は、現在再生中の層の他方の層のリードイン領域よりナビ情報を読取り、読取られたナビ情報をシステムコントローラ１４がＲＡＭ１４ａに記憶させる。
【００６８】
そして、ステップＳ３１４で、システムコントローラ１４は、比較用キーが操作されたときの再生地点のタイムコードとＲＡＭ１４ａに記憶された比較用キーが操作されたときに再生していた層の他方の層のナビ情報とに基づき、比較用キーが操作されたときの再生地点のタイムコードに対応する比較用キーが操作されたときに再生していた層の他方の層におけるアドレスを算出する。そして、光ピックアップ２が算出されたアドレスまで移動され上記他方の層より映像データの読取りを開始し、ＲＦ信号処理部６またはＲＦ信号処理部９が出力する映像データにより不図示のテレビジョンにおいて上記他方の層の再生映像の表示が開始される。
【００６９】
その後、再生中に再び不図示のリモコンにおいて比較用キーの押下げ操作がされると（ステップＳ３１５）、上記ステップＳ３１４の動作が行われ、以降同様のことが繰り返される。
【００７０】
これにより、ユーザは比較用キーを押下げるだけで、そのとき再生していた場面から他方の層の再生映像を見ることができ、容易にＢＤ層、ＨＤＤＶＤ層の画質比較が行える。また、本実施形態では、ステップＳ３０９またはステップＳ３１１での再生開始前にはステップＳ３０８またはステップＳ３１０でＢＤ層、ＨＤＤＶＤ層の一方のナビ情報だけを取得するので、ディスク挿入からステップＳ３０９またはステップＳ３１１での再生開始までの時間を短縮できる。
【００７１】
また、ステップＳ３０１で、ＢＤ／ＨＤＤＶＤ画質比較機能がオフであれば（ステップＳ３０１のＮ）、ステップＳ３０２に進む。ステップＳ３０２では、上記ステップＳ３０７と同様に図６（ｂ）に示すような再生させるフォーマットをユーザに選択させるダイアログが不図示のテレビジョンに表示される。ここで、不図示のリモコン操作によりＢＤが選択されると、ステップＳ３０３に進み、光ピックアップ２はディスクの有するＢＤ層のリードイン領域よりナビ情報を読取り、読取られたナビ情報をシステムコントローラ１４がＲＡＭ１４ａに記憶させる。そして、ステップＳ３０４で光ピックアップ２はディスクの有するＢＤ層のデータ記録領域より映像データの読取りを開始し、ＲＦ信号処理部９が出力する映像データにより不図示のテレビジョンにおいて再生映像の表示が開始される。また、ステップＳ３０２で不図示のリモコン操作によりＨＤＤＶＤが選択されると、ステップＳ３０５に進み、光ピックアップ２はディスクの有するＨＤＤＶＤ層のリードイン領域よりナビ情報を読取り、読取られたナビ情報をシステムコントローラ１４がＲＡＭ１４ａに記憶させる。そして、ステップＳ３０６で、光ピックアップ２はディスクの有するＨＤＤＶＤ層のデータ記録領域より映像データの読取りを開始し、ＲＦ信号処理部６が出力する映像データにより不図示のテレビジョンにおいて再生映像の表示が開始される。そして、ステップＳ３０４またはステップＳ３０６の後、再生中に不図示のリモコンにおいて比較用キーの押下げ操作がされても、そのときの再生が継続される。
【００７２】
なお、本実施形態において、ステップＳ３１４の後、不図示のリモコンにおいて所定の操作がされると、光ピックアップ２が、そのとき再生中の映像データ（第１の映像データ）と、該映像データとは別の映像データ（第２の映像データ）とを交互にディスクの同一層から読取ることを開始し、ＲＦ信号処理部６またはＲＦ信号処理部９から出力される２つの映像データに基づきグラフィックエンジン１５が、不図示のテレビジョンに第１の映像データの映像および第２の映像データの映像をピクチャーインピクチャー形式で表示させるための映像データを生成してビデオエンコーダ１６に出力するようにしてもよい。
【００７３】
これにより、ディスクのＢＤ層、ＨＤＤＶＤ層の一方の層には本編が記録され、他方の層には同一内容の本編および本編とは別の特典映像が記録されている場合に、特典映像が記録されていない一方の層の本編を再生中に他方の層の特典映像をユーザが見たい場合、ユーザは比較用キーの操作およびピクチャーインピクチャー表示のための操作をするだけですぐに特典映像を見ることができ利便性が高いものとなる。
【００７４】
次に、本発明に係る光ディスク再生装置におけるＢＤ／ＨＤＤＶＤ画質比較動作の第３実施形態に関して図４のフローチャートを用いて説明する。
【００７５】
図４のステップＳ４００、Ｓ４０１、Ｓ４０２、Ｓ４０６、Ｓ４０７、Ｓ４０８は前述した第１実施形態（図２）と同様であるので説明を省く。
【００７６】
ステップＳ４０７またはステップＳ４０８での再生開始後、ステップＳ４０９で、再生中に不図示のリモコンにおいてＡＢリピートキーが押下げ操作され、システムコントローラ１４が対応するコード信号をリモコン受信部１７から受信すると、システムコントローラ１４はそのときの再生地点のアドレスとタイムコードをＲＡＭ１４ａに記憶させる。それから、再び不図示のリモコンにおいてＡＢリピートキーが押下げ操作され、システムコントローラ１４が対応するコード信号をリモコン受信部１７から受信すると、システムコントローラ１４はそのときの再生地点のアドレスとタイムコードをＲＡＭ１４ａに記憶させる。
【００７７】
そして、ステップＳ４１０で、１回目のＡＢリピートキー操作のときにＲＡＭ１４ａに記憶されたアドレスまで光ピックアップ２が移動され、光ピックアップ２は、１回目のＡＢリピートキー操作および２回目のＡＢリピートキー操作のときにＲＡＭ１４ａに記憶された各アドレス間での映像データの繰り返しの読取りを開始し、ＲＦ信号処理部６またはＲＦ信号処理部９の映像データ出力による不図示のテレビジョンにおける上記各アドレス間での再生映像表示の繰り返しが開始される。
【００７８】
ステップＳ４１０でのリピート再生開始後、リピート再生中にステップＳ４１１で不図示のリモコンにおいて比較用キーの押下げ操作がされ、システムコントローラ１４が対応するコード信号をリモコン受信部１７から受信すると、ステップＳ４１２に進む。ステップＳ４１２で、システムコントローラ１４は、１回目のＡＢリピートキー操作および２回目のＡＢリピートキー操作のときにＲＡＭ１４ａに記憶された各タイムコードと、ＲＡＭ１４ａに記憶された現在再生している層の他方の層のナビ情報とに基づき、各タイムコードに対応する現在再生している層の他方の層における各アドレスを算出し、算出された各アドレスをＲＡＭ１４ａに記憶させる。そして、１回目のＡＢリピートキー操作のときのタイムコードに対応する算出されたアドレスまで光ピックアップ２が移動され、光ピックアップ２は、算出された各アドレス間での上記他方の層からの映像データの繰り返しの読取りを開始し、ＲＦ信号処理部６またはＲＦ信号処理部９の映像データ出力による不図示のテレビジョンにおける上記各アドレス間での再生映像表示の繰り返しが開始される。
【００７９】
ステップＳ４１２でのリピート再生開始後、再びステップＳ４１１で不図示のリモコンにおいて比較用キーの押下げ操作がされると、ステップＳ４１２に進み、現在再生している層の他方の層における上記１回目のＡＢリピートキー操作のときにＲＡＭ１４ａに記憶されたアドレスまで光ピックアップ２が移動され、光ピックアップ２は、上記１回目のＡＢリピートキー操作および２回目のＡＢリピートキー操作のときにＲＡＭ１４ａに記憶された各アドレス間での他方の層からの映像データの繰り返しの読取りを開始し、ＲＦ信号処理部６またはＲＦ信号処理部９の映像データ出力による不図示のテレビジョンにおける上記各アドレス間での再生映像表示の繰り返しが開始される。そして、再びステップＳ４１１で不図示のリモコンにおいて比較用キーの押下げ操作がされると、ステップＳ４１２に進み、現在再生している層の他方の層における上記１回目のＡＢリピートキー操作のときにＲＡＭ１４ａに記憶されたタイムコードに対応する算出されたアドレスまで光ピックアップ２が移動され（算出された各アドレスはＲＡＭ１４ａに記憶されているので算出は不要）、光ピックアップ２は、上記算出された各アドレス間での他方の層からの映像データの繰り返しの読取りを開始し、ＲＦ信号処理部６またはＲＦ信号処理部９の映像データ出力による不図示のテレビジョンにおける上記各アドレス間での再生映像表示の繰り返しが開始される。以降は同様の動作が繰り返される。
【００８０】
このように本実施形態では、ユーザがＡＢリピートキーを２回押下げて開始点と終了点を決定しリピート再生されているときにユーザが比較用キーを押下げるだけでリピート再生されていた場面と同じ場面の映像が他方の層からリピート再生されるので、ユーザは容易にＢＤ層、ＨＤＤＶＤ層の画質比較を行うことができ、画質の違いをより確認し易くなる。また、ステップＳ４０１で予め双方の層のナビ情報を取得しておくので、ステップＳ４１１で最初の比較用キー操作がされたときに即座に各アドレスを算出でき、すぐにリピート再生を開始できる。
【００８１】
なお、ステップＳ４１０およびステップＳ４１１の後は次のようにしてもよい。ステップＳ４１２で、システムコントローラ１４は、１回目のＡＢリピートキー操作および２回目のＡＢリピートキー操作のときにＲＡＭ１４ａに記憶された各タイムコードと、ＲＡＭ１４ａに記憶された現在再生している層の他方の層のナビ情報とに基づき、各タイムコードに対応する現在再生している層の他方の層における各アドレスを算出し、算出された各アドレス（以下、算出開始終了点アドレス）をＲＡＭ１４ａに記憶させる。さらに、システムコントローラ１４は、現在再生地点のタイムコードとＲＡＭ１４ａに記憶された現在再生している層の他方の層のナビ情報とに基づき、現在再生地点のタイムコードに対応する現在再生している層の他方の層におけるアドレスも算出する。そして、現在再生地点のタイムコードに対応する算出されたアドレスまで光ピックアップ２が移動され、光ピックアップ２は、そのアドレスより算出開始終了点アドレス間での他方の層からの映像データの繰り返しの読取りを開始し、ＲＦ信号処理部６またはＲＦ信号処理部９の映像データ出力による不図示のテレビジョンにおける算出開始終了点アドレス間での再生映像表示の繰り返しが開始される。
【００８２】
ステップＳ４１２でのリピート再生開始後、再びステップＳ４１１で不図示のリモコンにおいて比較用キーの押下げ操作がされると、ステップＳ４１２に進み、システムコントローラ１４は、現在再生地点のタイムコードとＲＡＭ１４ａに記憶された現在再生している層の他方の層のナビ情報とに基づき、現在再生地点のタイムコードに対応する現在再生している層の他方の層におけるアドレスを算出する。そして、算出されたアドレスまで光ピックアップ２が移動され、光ピックアップ２は、そのアドレスより１回目のＡＢリピートキー操作および２回目のＡＢリピートキー操作のときにＲＡＭ１４ａに記憶された各アドレス間での他方の層からの映像データの繰り返しの読取りを開始し、ＲＦ信号処理部６またはＲＦ信号処理部９の映像データ出力による不図示のテレビジョンにおける上記各アドレス間での再生映像表示の繰り返しが開始される。そして、再びステップＳ４１１で不図示のリモコンにおいて比較用キーの押下げ操作がされると、ステップＳ４１２に進み、システムコントローラ１４は、現在再生地点のタイムコードとＲＡＭ１４ａに記憶された現在再生している層の他方の層のナビ情報とに基づき、現在再生地点のタイムコードに対応する現在再生している層の他方の層におけるアドレスを算出する（算出開始終了点アドレスはＲＡＭ１４ａに記憶されているので算出は不要）。そして、算出されたアドレスまで光ピックアップ２が移動され、光ピックアップ２は、そのアドレスより算出開始終了点アドレス間での他方の層からの映像データの繰り返しの読取りを開始し、ＲＦ信号処理部６またはＲＦ信号処理部９の映像データ出力による不図示のテレビジョンにおける算出開始終了点アドレス間での再生映像表示の繰り返しが開始される。以降は同様の動作が繰り返される。
【００８３】
このような実施形態であれば、ユーザがＡＢリピートキーを２回押下げて開始点と終了点を決定しリピート再生されているときにユーザが比較用キーを押下げると、そのときの再生場面と同じ場面より始まるよう他方の層からリピート再生されるので、ユーザは容易にＢＤ層、ＨＤＤＶＤ層の画質比較を行うことができ、画質の違いをさらに確認し易くなる。
【００８４】
また、ＢＤ／ＨＤＤＶＤ画質比較機能がオフの場合（ステップＳ４０２のＮ）に進むステップＳ４０３、Ｓ４０４、Ｓ４０５も第１実施形態（図２）と同様である。そして、ステップＳ４０４またはステップＳ４０５での再生開始後、不図示のリモコンにおいてＡＢリピートキー押下げ操作が２回されると、操作されたときの各再生地点間のリピート再生が開始されるが、その後、不図示のリモコンにおいて比較用キーが押下げ操作されてもそのときのリピート再生を継続する。
【００８５】
次に、本発明に係る光ディスク再生装置におけるＢＤ／ＨＤＤＶＤ画質比較動作の第４実施形態に関して図５のフローチャートを用いて説明する。
【００８６】
図５のステップＳ５００、Ｓ５０１、Ｓ５０７、Ｓ５０８、Ｓ５０９、Ｓ５１０、Ｓ５１１は前述した第２実施形態（図３）と同様であるので説明を省く。
【００８７】
ステップＳ５０９またはステップＳ５１１での再生開始後、ステップＳ５１２で、再生中に不図示のリモコンにおいてＡＢリピートキーが押下げ操作され、システムコントローラ１４が対応するコード信号をリモコン受信部１７から受信すると、システムコントローラ１４はそのときの再生地点のアドレスとタイムコードをＲＡＭ１４ａに記憶させる。それから、再び不図示のリモコンにおいてＡＢリピートキーが押下げ操作され、システムコントローラ１４が対応するコード信号をリモコン受信部１７から受信すると、システムコントローラ１４はそのときの再生地点のアドレスとタイムコードをＲＡＭ１４ａに記憶させる。
【００８８】
そして、ステップＳ５１３で、１回目のＡＢリピートキー操作のときにＲＡＭ１４ａに記憶されたアドレスまで光ピックアップ２が移動され、光ピックアップ２は、１回目のＡＢリピートキー操作および２回目のＡＢリピートキー操作のときにＲＡＭ１４ａに記憶された各アドレス間での映像データの繰り返しの読取りを開始し、ＲＦ信号処理部６またはＲＦ信号処理部９の映像データ出力による不図示のテレビジョンにおける上記各アドレス間での再生映像表示の繰り返しが開始される。
【００８９】
ステップＳ５１３でのリピート再生開始後、リピート再生中にステップＳ５１４で不図示のリモコンにおいて比較用キーの押下げ操作がされ、システムコントローラ１４が対応するコード信号をリモコン受信部１７から受信すると、ステップＳ５１５に進む。ステップＳ５１５で、光ピックアップ２は、現在再生中の層の他方の層のリードイン領域よりナビ情報を読取り、読取られたナビ情報をシステムコントローラ１４がＲＡＭ１４ａに記憶させる。
【００９０】
そして、ステップＳ５１６で、システムコントローラ１４は、１回目のＡＢリピートキー操作および２回目のＡＢリピートキー操作のときにＲＡＭ１４ａに記憶された各タイムコードと、ＲＡＭ１４ａに記憶された比較用キーが操作されたときに再生していた層と他方の層のナビ情報とに基づき、各タイムコードに対応する比較用キーが操作されたときに再生していた層の他方の層における各アドレスを算出し、算出された各アドレスをＲＡＭ１４ａに記憶させる。そして、１回目のＡＢリピートキー操作のときのタイムコードに対応する算出されたアドレスまで光ピックアップ２が移動され、光ピックアップ２は、算出された各アドレス間での上記他方の層からの映像データの繰り返しの読取りを開始し、ＲＦ信号処理部６またはＲＦ信号処理部９の映像データ出力による不図示のテレビジョンにおける上記各アドレス間での再生映像表示の繰り返しが開始される。
【００９１】
ステップＳ５１６の後のステップＳ５１７、Ｓ５１６の繰り返しは、前述の第３実施形態（図４）におけるステップＳ４１１、Ｓ４１２の繰り返しと同様である。
【００９２】
このように本実施形態では、ユーザがＡＢリピートキーを２回押下げて開始点と終了点を決定しリピート再生されているときにユーザが比較用キーを押下げるだけでリピート再生されていた場面と同じ場面の映像が他方の層からリピート再生されるので、ユーザは容易にＢＤ層、ＨＤＤＶＤ層の画質比較を行うことができ、画質の違いをより確認し易くなる。また、ステップＳ５０９またはステップＳ５１１での再生開始前にはステップＳ５０８またはステップＳ５１０でＢＤ層、ＨＤＤＶＤ層の一方のナビ情報だけを取得するので、ディスク挿入からステップＳ５０９またはステップＳ５１１での再生開始までの時間を短縮できる。
【００９３】
なお、ステップＳ５１４およびステップＳ５１５の後は次のようにしてもよい。ステップＳ５１６で、システムコントローラ１４は、１回目のＡＢリピートキー操作および２回目のＡＢリピートキー操作のときにＲＡＭ１４ａに記憶された各タイムコードと、ＲＡＭ１４ａに記憶された比較用キーが操作されたときに再生していた層の他方の層のナビ情報とに基づき、各タイムコードに対応する比較用キーが操作されたときに再生していた層の他方の層における各アドレスを算出し、算出された各アドレス（以下、算出開始終了点アドレス）をＲＡＭ１４ａに記憶させる。さらに、システムコントローラ１４は、比較用キーが操作されたときの再生地点のタイムコードとＲＡＭ１４ａに記憶された比較用キーが操作されたときに再生していた層の他方の層のナビ情報とに基づき、比較用キーが操作されたときの再生地点のタイムコードに対応する比較用キーが操作されたときに再生していた層の他方の層におけるアドレスも算出する。そして、算出されたアドレスまで光ピックアップ２が移動され、光ピックアップ２は、そのアドレスより算出開始終了点アドレス間での他方の層からの映像データの繰り返しの読取りを開始し、ＲＦ信号処理部６またはＲＦ信号処理部９の映像データ出力による不図示のテレビジョンにおける算出開始終了点アドレス間での再生映像表示の繰り返しが開始される。
【００９４】
ステップＳ５１６でのリピート再生開始後、再びステップＳ５１７で不図示のリモコンにおいて比較用キーの押下げ操作がされると、ステップＳ５１６に進み、システムコントローラ１４は、現在再生地点のタイムコードとＲＡＭ１４ａに記憶された現在再生している層の他方の層のナビ情報とに基づき、現在再生地点のタイムコードに対応する現在再生している層の他方の層におけるアドレスを算出する。そして、算出されたアドレスまで光ピックアップ２が移動され、光ピックアップ２は、そのアドレスより１回目のＡＢリピートキー操作および２回目のＡＢリピートキー操作のときにＲＡＭ１４ａに記憶された各アドレス間での他方の層からの映像データの繰り返しの読取りを開始し、ＲＦ信号処理部６またはＲＦ信号処理部９の映像データ出力による不図示のテレビジョンにおける上記各アドレス間での再生映像表示の繰り返しが開始される。そして、再びステップＳ５１７で不図示のリモコンにおいて比較用キーの押下げ操作がされると、ステップＳ５１６に進み、システムコントローラ１４は、現在再生地点のタイムコードとＲＡＭ１４ａに記憶された現在再生している層の他方の層のナビ情報とに基づき、現在再生地点のタイムコードに対応する現在再生している層の他方の層におけるアドレスを算出する（算出開始終了点アドレスはＲＡＭ１４ａに記憶されているので算出は不要）。そして、算出されたアドレスまで光ピックアップ２が移動され、光ピックアップ２は、そのアドレスより算出開始終了点アドレス間での他方の層からの映像データの繰り返しの読取りを開始し、ＲＦ信号処理部６またはＲＦ信号処理部９の映像データ出力による不図示のテレビジョンにおける算出開始終了点アドレス間での再生映像表示の繰り返しが開始される。以降は同様の動作が繰り返される。
【００９５】
このような実施形態であれば、ユーザがＡＢリピートキーを２回押下げて開始点と終了点を決定しリピート再生されているときにユーザが比較用キーを押下げると、そのときの再生場面と同じ場面より始まるよう他方の層からリピート再生されるので、ユーザは容易にＢＤ層、ＨＤＤＶＤ層の画質比較を行うことができ、画質の違いをさらに確認し易くなる。
【００９６】
また、ＢＤ／ＨＤＤＶＤ画質比較機能がオフの場合（ステップＳ５０１のＮ）に進むステップＳ５０２、Ｓ５０３、Ｓ５０４、Ｓ５０５、Ｓ５０６も第２実施形態（図３）と同様である。そして、ステップＳ５０４またはステップＳ５０６での再生開始後、不図示のリモコンにおいてＡＢリピートキー押下げ操作が２回されると、操作されたときの再生地点間のリピート再生が開始されるが、その後、不図示のリモコンにおいて比較用キーが押下げ操作されてもそのときのリピート再生を継続する。
【図面の簡単な説明】
【００９７】
【図１】は、本発明に係る光ディスク再生装置のブロック構成図である。
【図２】は、本発明に係る光ディスク再生装置におけるＢＤ／ＨＤＤＶＤ画質比較動作の第１実施形態に関するフローチャートである。
【図３】は、本発明に係る光ディスク再生装置におけるＢＤ／ＨＤＤＶＤ画質比較動作の第２実施形態に関するフローチャートである。
【図４】は、本発明に係る光ディスク再生装置におけるＢＤ／ＨＤＤＶＤ画質比較動作の第３実施形態に関するフローチャートである。
【図５】は、本発明に係る光ディスク再生装置におけるＢＤ／ＨＤＤＶＤ画質比較動作の第４実施形態に関するフローチャートである。
【図６】は、（ａ）ＢＤ／ＨＤＤＶＤ画質比較機能設定画面の一例、（ｂ）再生フォーマット選択ダイアログの一例を示す。
【符号の説明】
【００９８】
１    スピンドルモータ
２    光ピックアップ
２ａ    対物レンズ
２ｂ    ＢＤ光学系
２ｃ    対物レンズ
２ｄ    ＨＤＤＶＤ光学系
２ｅ    フォーカスアクチュエータ
２ｆ    トラッキングアクチュエータ
３    スレッドモータ
４    ＬＤドライバ
５    ＬＤドライバ
６    ＲＦ信号処理部
７    エラー信号生成部
８    サーボ処理部
９    ＲＦ信号処理部
１０    エラー信号生成部
１１    サーボ処理部
１２    アクチュエータドライバ
１３    スレッドドライバ
１４    システムコントローラ
１４ａ    ＲＡＭ
１５    グラフィックエンジン
１６    ビデオエンコーダ
１７    リモコン受信部
１８    フラッシュメモリ
【図１】
2008276847.tif 000003
【図２】
2008276847.tif 000004
【図３】
2008276847.tif 000005
【図４】
2008276847.tif 000006
【図５】
2008276847.tif 000007
【図６】
2008276847.tif 000008